(57)【要約】      （修正有）【課題】一年草のように根が細く適切な栽培土でしか育たない花卉を、垂直な壁面上に於いて、長期間に渡って枯れさせずに生育させ得る植栽構造体を提供する。【解決手段】平たい直方体形状の植栽部材を浅底の容器に収容して成る植栽基盤１と、溝形状の主枠部３１１，３２１を各々が有する第１枠体３１及び第２枠体３２とを有し、主枠部３１１，３２１の溝が上開放となるように支持板６の上下方向の各位置に水平に取り付けられる第１枠体３１及び第２枠体３２により植栽基盤１を挟持する植栽構造体。植栽基盤１は、３次元網目構造を成すランダムループ体の間隙に花卉栽培土を充填して成る植栽部材と植栽部材の外表面を覆う金網とを有し、植栽部材及び金網には金網側から花卉の根を嵌入するための孔部が共通位置に設けられており、第１枠体３１の主枠部３１１の溝内の水は溝に設けられた貫通孔３１１１を通って植栽部材に供給される。【選択図】図１
2020198820.tif 000002
【特許請求の範囲】
【請求項１】
平たい直方体形状の植栽部材を浅底の容器に収容して成る植栽基盤と、溝形状の主枠部を各々が有する第１枠体及び第２枠体と、を有し、前記主枠部の溝が上開放となるように支持板の板面上の鉛直設置状態に於ける上下方向の各位置に水平に取り付けられる前記第１枠体及び前記第２枠体により、前記植栽基盤を挟持する植栽構造体であって、
前記植栽基盤は、３次元網目構造を成すランダムループ体の間隙に花卉栽培土を充填して成る植栽部材と、該植栽部材の外表面を覆う金網と、を有し、前記植栽部材及び金網には、該金網側から花卉の根を嵌入するための孔部が共通位置に設けられており、
前記第１枠体の主枠部の溝内の水は、該主枠部の溝に設けられた貫通孔を通って前記植栽部材に供給される、
ことを特徴とする植栽構造体。
【請求項２】
前記請求項１に於いて、
前記植栽基盤は、前記容器の底部と前記植栽部材との間に設けられた不織布製の背後シートを更に有し、
前記第１枠体の主枠部の溝と前記植栽部材との間には、一端が前記第１枠体の主枠部の溝内に在り、他端側が前記第１枠体の主枠部の溝の貫通孔を通って前記背後シートと前記植栽部材との間に至る不織布製の帯状体が更に設けられており、
前記第１枠体の主枠部の溝内の水は、前記帯状体から前記背後シートを伝って前記植栽部材に供給される、
ことを特徴とする植栽構造体。
【請求項３】
前記請求項１に於いて、
前記植栽基盤は、前記容器の底部と前記植栽部材との間に設けられるとともにその縁部が前記容器の一壁部の縁を越えて前記第１枠体の下面側に置かれた不織布製の背後シートを更に有し、
前記第１枠体の主枠部の溝と前記植栽部材との間には、一端が前記第１枠体の主枠部の溝内に在り、他端側が前記第１枠体の主枠部の溝の貫通孔を通って前記背後シートの縁部に接触する不織布製の帯状体が更に設けられており、
前記第１枠体の主枠部の溝内の水は、前記帯状体から前記背後シートの縁部を伝って前記第１枠体の長手方向である水平方向へ拡散されて前記植栽部材に供給される、
ことを特徴とする植栽構造体。
【請求項４】
前記請求項３に於いて、
前記帯状体の他端側は、前記背後シートの縁部に接触し、さらに、前記背後シートと前記植栽部材との間に至る、
ことを特徴とする植栽構造体。
【請求項５】
前記請求項１〜請求項４の何れかに於いて、
前記植栽基盤は、前記背後シートと前記植栽部材との間に介挿された不織布製の遮断シートを更に有する、
ことを特徴とする植栽構造体。
【請求項６】
前記請求項１〜請求項５の何れかに於いて、
前記金網の孔部は、仮想正方形の中央から小正方形を切り抜くとともに各対角線に沿って切れ目を入れて形成した台形形状の各残部片を反植栽部材側へ起こして成り、
前記金網の孔部を通って前記植栽部材の孔部に根が嵌入される花卉は、前記残部片によって支持される、
ことを特徴とする植栽構造体。
【請求項７】
前記請求項１〜請求項６の何れかに於いて、
前記金網は、線径が０．５φ〜０．７φの範囲、メッシュが１２〜１６の範囲のステンレス製の平織金網である、
ことを特徴とする植栽構造体。
【請求項８】
前記請求項１〜請求項７の何れかに於いて、
前記植栽部材の厚さは１５ｍｍ〜３５ｍｍの範囲である、
ことを特徴とする植栽構造体。
【請求項９】
前記請求項１〜請求項８の何れかに於いて、
前記第１枠体と前記第２枠体を同一構成の枠体と成し、
前記支持板の鉛直設置状態に於ける上下方向の板面上の各位置に少なくとも３本の枠体を水平に配し、
上下方向に於いて隣接する２本の枠体のうち上位置の枠体を前記第１枠体と成すとともに下位置の枠体を前記第２枠体と成すことにより、２以上の植栽構造体を上下方向に於いて連設して成る、
ことを特徴とする植栽構造体。
【請求項１０】
平たい直方体形状の植栽部材を浅底の容器に収容して成る植栽基盤と、溝部を各々が有する第１枠体及び第２枠体と、を有し、鉛直設置及び水平設置が可能な支持板の板面上に平行に取り付けられる前記第１枠体及び第２枠体により、前記植栽基盤を挟持する植栽構造体であって、
前記第１枠体及び第２枠体の各々は、溝形状の主枠部と、該主枠部の溝の一側壁から該溝を覆うように立設された溝覆部を有する支持枠部と、を有し、
前記支持板の鉛直設置状態では、前記第１枠体及び第２枠体の各溝部は、前記溝形状の主枠部の溝により構成され、
前記支持板の水平設置状態では、前記第１枠体及び第２枠体の各溝部は、前記主枠部と前記支持枠部の溝覆部とにより構成され、
前記植栽基盤は、前記容器の底部と前記植栽部材との間に設けられるとともにその縁部が前記容器の壁部の縁を越えて前記第２枠体の溝部に至る不織布製の背後シートを更に有し、
前記第２枠体の溝部内の水は、該水に前記縁部の先端側が浸っている前記背後シートを伝って前記植栽部材に供給される、
ことを特徴とする植栽構造体。
【請求項１１】
平たい直方体形状の植栽部材を浅底の容器に収容して成る植栽基盤と、溝部を各々が有する第１枠体及び第２枠体と、を有し、鉛直設置及び水平設置が可能な支持板の板面上に平行に取り付けられる前記第１枠体及び第２枠体により、前記植栽基盤を挟持する植栽構造体であって、
前記第１枠体及び第２枠体の各々は、溝形状の主枠部と、該主枠部の溝の一側壁から該溝を覆うように立設された溝覆部を有する支持枠部と、を有し、
前記支持板の鉛直設置状態では、前記第１枠体及び第２枠体の各溝部は、前記溝形状の主枠部の溝により構成され、
前記支持板の水平設置状態では、前記第１枠体及び第２枠体の各溝部は、前記主枠部と前記支持枠部の溝覆部とにより構成され、
前記植栽基盤は、前記容器の底部と前記植栽部材との間に設けられた不織布製の背後シートを更に有し、
前記第１枠体の主枠部の溝部と前記植栽部材との間には、一端が前記第１枠体の溝部内に在り、他端側が前記第１枠体の主枠部の溝の貫通孔を通って前記背後シートと前記植栽部材との間に至る不織布製の帯状体が更に設けられており、
前記第１枠体の溝部内の水は、該水に一端が浸っている前記帯状体から前記背後シートを伝って前記植栽部材に供給される、
ことを特徴とする植栽構造体。
【請求項１２】
前記請求項１１に於いて、
一方の開口端が前記第１枠体の主枠部の溝底から突出し、他方の開口端で前記第２枠体の支持枠部の溝覆部を貫通するように、前記第１枠体の主枠部の溝底と前記第２枠体の支持枠部の溝覆部とを連通する排水管を更に有し、
前記支持板の鉛直設置状態では、前記第１枠体の主枠部の溝内で前記一方の開口端の高さを越えて給水された水は、前記排水管を通って前記第２枠体の主枠部の溝に排水される、
ことを特徴とする植栽構造体。
【請求項１３】
前記請求項１２に於いて、
前記排水管は、前記植栽基盤の背後で且つ前記支持板の前方に設けられている、
ことを特徴とする植栽構造体。
【請求項１４】
前記請求項１２又は請求項１３に於いて、
前記貫通孔は、前記第１枠体の主枠部の溝底から溝内へ突出するように設けられており、その突出長は、前記排水管の前記一方の開口端が前記溝底から溝内へ突出する突出長以上である、
ことを特徴とする植栽構造体。
【発明の詳細な説明】
【技術分野】
【０００１】
本発明は、花卉を、垂直な壁面上に於いても平地と同様に長期間に渡って枯れさせずに生育させ得る植栽構造体に関する。詳しくは、根が細いため適切な栽培土でしか生育できない一年草のような花卉であっても、平地と同様に、長期間に渡って枯れさせずに生育させ得る植栽構造体に関する。
【背景技術】
【０００２】
壁面に植物を植えるための様々な手法が提案もしくは提供されている。また、それらの手法を支える技術についても、様々に提案もしくは提供されている。
例えば、ＪＰ２０１２−１８３０３７Ａには、壁面に取り付けた植栽体の前方から、吸水性の有る袋に根を入れた花卉を挿抜し得るようにした技術が開示されている。
また、ＪＰ２０１３−０５１９０３Ａには、壁面に取り付けて植物体を導入するための緑化マットとして、ポリプロピレン製の線材を３次元網目構造として骨格を形成し、この骨格内に吸水性ポリマを内包させる技術が開示されている。
【先行技術文献】
【特許文献】
【０００３】
【特許文献１】ＪＰ２０１２−１８３０３７Ａ
【特許文献２】ＪＰ２０１３−０５１９０３Ａ
【発明の概要】
【発明が解決しようとする課題】
【０００４】
（１）構造体の全般的な課題
従来から提案もしくは提供されている壁面植栽技術では、花卉に適した重い栽培土を垂直な壁面で保持できないため、栽培土を使用できない。このため、一年草のように、根が細く、適切な栽培土でしか育たない花卉を、壁面に長期間に渡って枯れさせないで生育させておくことができない。
仮に、垂直な壁面の前面側にて栽培土を保持して花卉を水平に植えたとしても、
イ．雨風の吹き付けで栽培土が流出してしまう、
ロ．雨に混じって種々の雑草の種が侵入して雑草が蔓延り、花卉生育の障害となる、
ハ．蔓延った雑草で花卉の花の部分が隠されてしまうため、美観を損ねる、
等の不具合が生じ、頻繁なメンテナンスが必要となるため、コストの上昇を招く。
【０００５】
椰子の実の繊維のように軽い素材を用い、該繊維に給水して植物を生育させようとする技術もあるが、椰子の実の繊維では柔らかすぎるため、垂直な壁面（＝花卉が水平となる壁面）では花卉の細い根を支持できず、その結果、枯れてしまう。
また、花卉を植えた鉢を壁面前面にて支持することで、壁面に花卉を配し得るようにした構造体も提案もしくは提供されているが、そのような構造体では、当然ながら花卉は水平ではなく、垂直方向を向く。このため、その壁面を前方から見ると、花の部分は殆ど見えず、主に茎や葉の部分が見える。このため、例えば、壁面上に、花で様々な絵柄を表現したいというような用途には使用できない。
また、そのような構造体は、花卉を植えた多数の鉢を支持するものであるため、頑丈な骨組みを要し、その骨組みは、容易には変更し難い。このため、例えば、パネル交換等により全体サイズを自由に拡張／縮小したいというような用途には使用できない。
【０００６】
（２）給水機構の課題
従来から提案もしくは提供されている壁面植栽技術では、鉛直方向に立設された壁面の全域に均等に、且つ、時間的な変動無く、給水することは困難である。
例えば、人手で給水する場合には、給水が過剰な部位や、不足する部位が、時間的な変動とともに生じ、その結果、根腐れや、枯れ等の問題が生ずる。
また、制御装置等を用いて給水を自動化する場合には、機器設置のためのコストの上昇を招くばかりでなく、上記の問題を完全に解決することもできない。また、花卉の適切な部位に適量を給水することも困難である。
【０００７】
（３）展開上の課題
従来から提案もしくは提供されている壁面植栽技術は、指定された固定壁面（設置場所やサイズが決まっている壁面）に、植栽構造体を、固定的に設けるものである。
このため、ユーザが希望する設置場所が壁面であるか空き地等の水平面であるかを問わず、ユーザが希望する期間限定で、ユーザが指定するサイズで、植栽構造体を臨時的に設置／撤去する、というような用途に使用することはできない。
【０００８】
本発明は係る事情に鑑みたものであり、一年草のように根が細く適切な栽培土でしか育たない花卉を、垂直な壁面上に於いても平地と同様に、長期間に渡って枯れさせずに生育させ得る植栽構造体を提供することを目的とする。
また、花卉を、垂直な壁面上にて水平方向を向けて支持可能であり、壁面の前方側から花卉の花の部分を見ることができ、その結果、壁面上に花で様々な絵柄を表現できる植栽構造体を提供することを目的とする。
さらに、壁面の前方側に栽培土を配して花卉を水平に支持し得るとともに、その栽培土が雨風で流出する、雨風に混じって雑草の種が侵入して雑草が蔓延る、等の不具合の生じない植栽構造体を提供することを目的とする。
本発明は、また、一年草のように根が細く適切な栽培土でしか育たない花卉を、垂直な壁面上に於いても平地と同様に、長期間に渡って枯れさせずに生育させ得る給水機構を備えた植栽構造体を提供することを目的とする。
さらに、適宜の期間、適宜の場所（壁面、水平な空き地等）に、適宜のサイズで、臨時的に設置／撤去可能な植栽構造体を提供することを目的とする。
【課題を解決するための手段】
【０００９】
本発明は、以下の［１］〜［１４］のように記述され得る。なお、この項（［課題を解決するための手段］）と次項（［発明の効果］）に於いて、符号は理解を容易にする目的で付したものであり、本発明は、符号の構成に限定されない。
【００１０】
［１］
平たい直方体形状の植栽部材１４を浅底の容器１１に収容して成る植栽基盤１と、溝形状の主枠部３１１，３２１を各々が有する第１枠体３１及び第２枠体３２と、を有し、前記主枠部３１１，３２１の溝が上開放となるように支持板６の板面上の鉛直設置状態に於ける上下方向の各位置に水平に取り付けられる前記第１枠体３１及び前記第２枠体３２により、前記植栽基盤１を挟持する植栽構造体であって、
前記植栽基盤１は、３次元網目構造を成すランダムループ体１４１の間隙に花卉栽培土１４２を充填して成る植栽部材１４と、該植栽部材１４の外表面を覆う金網１５と、を有し、前記植栽部材１４及び金網１５には、該金網１５側から花卉９の根を嵌入するための孔部１４５，１５５が共通位置に設けられており、
前記第１枠体３１の主枠部３１１の溝内の水８は、該主枠部３１１の溝に設けられた貫通孔３１１１を通って前記植栽部材１４に供給される、
ことを特徴とする植栽構造体。
［２］
前記［１］に於いて、
前記植栽基盤１は、前記容器１１の底部１１０と前記植栽部材１４との間に設けられた不織布製の背後シート１２を更に有し、
前記第１枠体３１の主枠部３１１の溝と前記植栽部材１４との間には、一端が前記第１枠体３１の主枠部３１１の溝内に在り、他端側が前記第１枠体３１の主枠部３１１の溝の貫通孔３１１１を通って前記背後シート１２と前記植栽部材１４との間に至る不織布製の帯状体５が更に設けられており、
前記第１枠体３１の主枠部３１１の溝内の水８は、前記帯状体５から前記背後シート１２を伝って前記植栽部材１４に供給される、
ことを特徴とする植栽構造体。
［３］
前記［１］に於いて、
前記植栽基盤１は、前記容器１１の底部１１０と前記植栽部材１４との間に設けられるとともにその縁部１２５が前記容器１１の一壁部１１１の縁を越えて前記第１枠体３１の下面側に置かれた不織布製の背後シート１２を更に有し、
前記第１枠体３１の主枠部３１１の溝と前記植栽部材１４との間には、一端が前記第１枠体３１の主枠部３１１の溝内に在り、他端側が前記第１枠体３１の主枠部３１１の溝の貫通孔３１１１を通って前記背後シート１２の縁部１２５に接触する不織布製の帯状体５が更に設けられており、
前記第１枠体３１の主枠部３１１の溝内の水８は、前記帯状体５から前記背後シート１２の縁部１２５を伝って前記第１枠体３１の長手方向である水平方向へ拡散されて前記植栽部材１４に供給される、
ことを特徴とする植栽構造体。
［４］
前記［３］に於いて、
前記帯状体５の他端側は、前記背後シート１２の縁部１２５に接触し、さらに、前記背後シート１２と前記植栽部材１４との間に至る、
ことを特徴とする植栽構造体。
［５］
前記［１］〜［４］の何れかに於いて、
前記植栽基盤１は、前記背後シート１２と前記植栽部材１４との間に介挿された不織布製の遮断シート１３を更に有する、
ことを特徴とする植栽構造体。
【００１１】
［６］
前記［１］〜［５］の何れかに於いて、
前記金網１５の孔部１５５は、仮想正方形の中央から小正方形を切り抜くとともに各対角線に沿って切れ目を入れて形成した台形形状の各残部片１５５ａ〜１５５ｄを反植栽部材１４側へ起こして成り、
前記金網１５の孔部１５５を通って前記植栽部材１４の孔部１４５に根が嵌入される花卉９は、前記残部片１５５ａ〜１５５ｄによって支持される、
ことを特徴とする植栽構造体。
［７］
前記［１］〜［６］の何れかに於いて、
前記金網１５は、線径が０．５φ〜０．７φの範囲、メッシュが１２〜１６の範囲のステンレス製の平織金網である、
ことを特徴とする植栽構造体。
［８］
前記［１］〜［７］の何れかに於いて、
前記植栽部材１４の厚さは１５ｍｍ〜３５ｍｍの範囲である、
ことを特徴とする植栽構造体。
［９］
前記［１］〜［８］の何れかに於いて、
前記第１枠体３１と前記第２枠体３２を同一構成の枠体と成し、
前記支持板６（６０）の鉛直設置状態に於ける上下方向の板面上の各位置に少なくとも３本の枠体３１Ｘ，３２Ｘ（＝３１Ｙ），３２Ｙを水平に配し、
上下方向に於いて隣接する２本の枠体のうち上位置の枠体３１Ｘ（３１Ｙ）を前記第１枠体３１と成すとともに下位置の枠体３２Ｘ（３２Ｙ）を前記第２枠体３２と成すことにより、２以上の植栽構造体１００Ｘ，１００Ｙを上下方向に於いて連設して成る、
ことを特徴とする植栽構造体。
【００１２】
［１０］
平たい直方体形状の植栽部材１４を浅底の容器１１に収容して成る植栽基盤１と、溝部３１１／３１１・３１２０，３２１／３２１・３２２０を各々が有する第１枠体３１及び第２枠体３２と、を有し、鉛直設置及び水平設置が可能な支持板６の板面上に平行に取り付けられる前記第１枠体３１及び第２枠体３２により、前記植栽基盤１を挟持する植栽構造体であって、
前記第１枠体３１及び第２枠体３２の各々は、溝形状の主枠部３１１，３２１と、該主枠部３１１，３２１の溝の一側壁３１１５，３２１５から該溝を覆うように立設された溝覆部３１２０，３２２０を有する支持枠部３１２，３２２と、を有し、
前記支持板６の鉛直設置状態では、前記第１枠体３１及び第２枠体３２の各溝部は、前記溝形状の主枠部３１１，３２１の溝により構成され、
前記支持板６の水平設置状態では、前記第１枠体３１及び第２枠体３２の各溝部は、前記主枠部３１１，３２１と前記支持枠部３１２，３２２の溝覆部３１２０，３２２０とにより構成され、
前記植栽基盤１は、前記容器１１の底部１１０と前記植栽部材１４との間に設けられるとともにその縁部１２５が前記容器１１の壁部１１２の縁を越えて前記第２枠体３２の溝部３２１／３２１・３２２０に至る不織布製の背後シート１２を更に有し、
前記第２枠体３２の溝部３２１／３２１・３２２０内の水８は、該水８に前記縁部１２５の先端側が浸っている前記背後シート１２を伝って前記植栽部材１４に供給される、
ことを特徴とする植栽構造体。
【００１３】
［１１］
平たい直方体形状の植栽部材１４を浅底の容器１１に収容して成る植栽基盤１と、溝部３１１／３１１・３１２０，３２１／３２１・３２２０を各々が有する第１枠体３１及び第２枠体３２と、を有し、鉛直設置及び水平設置が可能な支持板６の板面上に平行に取り付けられる前記第１枠体３１及び第２枠体３２により、前記植栽基盤１を挟持する植栽構造体であって、
前記第１枠体３１及び第２枠体３２の各々は、溝形状の主枠部３１１，３２１と、該主枠部３１１，３２１の溝の一側壁３１１５，３２１５から該溝を覆うように立設された溝覆部３１２０，３２２０を有する支持枠部３１２，３２２と、を有し、
前記支持板６の鉛直設置状態では、前記第１枠体３１及び第２枠体３２の各溝部は、前記溝形状の主枠部３１１，３２１の溝により構成され、
前記支持板６の水平設置状態では、前記第１枠体３１及び第２枠体３２の各溝部は、前記主枠部３１１，３２１と前記支持枠部３１２，３２２の溝覆部３１２０，３２２０とにより構成され、
前記植栽基盤１は、前記容器１１の底部１１０と前記植栽部材１４との間に設けられた不織布製の背後シート１２を更に有し、
前記第１枠体３１の主枠部３１１の溝部３１１／３１１・３１２０と前記植栽部材１４との間には、一端が前記第１枠体３１の溝部３１１／３１１・３１２０内に在り、他端側が前記第１枠体３１の主枠部３１１の溝の貫通孔３１１１を通って前記背後シート１２と前記植栽部材１４との間に至る不織布製の帯状体５が更に設けられており、
前記第１枠体３１の溝部３１１／３１１・３１２０内の水８は、該水８に一端が浸っている前記帯状体５から前記背後シート１２を伝って前記植栽部材１４に供給される、
ことを特徴とする植栽構造体。
［１２］
前記［１１］に於いて、
一方の開口端３５１が前記第１枠体３１の主枠部３１１の溝底３１１０から突出し、他方の開口端３５２で前記第２枠体３２の支持枠部３２２の溝覆部３２２０を貫通するように、前記第１枠体３１の主枠部３１１の溝底３１１０と前記第２枠体の支持枠部３２２の溝覆部３２２０とを連通する排水管３５を更に有し、
前記支持板６の鉛直設置状態では、前記第１枠体３１の主枠部３１１の溝内で前記一方の開口端３５１の高さを越えて給水された水は、前記排水管３５を通って前記第２枠体３２の主枠部３２１の溝に排水される、
ことを特徴とする植栽構造体。
［１３］
前記［１２］に於いて、前記排水管３５は、前記植栽基盤１の背後で且つ前記支持板６の前方に設けられている、
ことを特徴とする植栽構造体。
［１４］
前記［１２］又は［１３］に於いて、
前記貫通孔３１１１は、前記第１枠体３１の主枠部３１１の溝底３１１０から溝内へ突出するように設けられており、その突出長は、前記排水管３５の前記一方の開口端３５１が前記溝底３１１０から溝内へ突出する突出長以上である、
ことを特徴とする植栽構造体。
【発明の効果】
【００１４】
前記［１］の発明は、平たい直方体形状の植栽部材１４を浅底の容器１１に収容して成る植栽基盤１と、溝形状の主枠部３１１，３２１を各々が有する第１枠体３１及び第２枠体３２とを有し、前記主枠部３１１，３２１の溝が上開放となるように支持板６の板面上の鉛直設置状態に於ける上下方向の各位置に水平に取り付けられる前記第１枠体３１及び前記第２枠体３２により前記植栽基盤１を挟持する植栽構造体であって、前記植栽基盤１は、３次元網目構造を成すランダムループ体１４１の間隙に花卉栽培土１４２を充填して成る植栽部材１４と該植栽部材１４の外表面を覆う金網１５とを有し、前記植栽部材１４及び金網１５には該金網１５側から花卉９の根を嵌入するための孔部１４５，１５５が共通位置に設けられており、前記第１枠体３１の主枠部３１１の溝内の水８は該主枠部３１１の溝に設けられた貫通孔３１１１を通って前記植栽部材１４に供給される植栽構造体であるため、軽量化できるとともに、花卉の栽培に適した土を、垂直な壁面に於いても必要な量だけ保持できる。また、必要な水を供給できるとともに、花卉の根を適切に支持できる。このため、一年草のように根が細い花卉であっても、長期間に渡って枯れさせることなく生育させることができる。また、垂直に設けられた植栽基盤の前面側から水平に嵌入された花卉を水平なまま支持できるため、花を前面側から見ることができる。つまり、花で様々な絵柄を表現した壁面を提供することができる。
前記［２］の発明は、前記［１］に於いて、前記植栽基盤１は前記容器１１の底部１１０と前記植栽部材１４との間に設けられた不織布製の背後シート１２を更に有し、前記第１枠体３１の主枠部３１１の溝と前記植栽部材１４との間には、一端が前記第１枠体３１の主枠部３１１の溝内に在り他端側が前記第１枠体３１の主枠部３１１の溝の貫通孔３１１１を通って前記背後シート１２と前記植栽部材１４との間に至る不織布製の帯状体５が更に設けられており、前記第１枠体３１の主枠部３１１の溝内の水８は前記帯状体５から前記背後シート１２を伝って前記植栽部材１４に供給される植栽構造体であるため、植栽部材１４の花卉栽培土に偏りなく確実に給水できる。このため、前記［１］の発明の効果を高めることができる。
前記［３］の発明は、前記［１］に於いて、前記植栽基盤１は前記容器１１の底部１１０と前記植栽部材１４との間に設けられるとともにその縁部１２５が前記容器１１の一壁部１１１の縁を越えて前記第１枠体３１の下面側に置かれた不織布製の背後シート１２を更に有し、前記第１枠体３１の主枠部３１１の溝と前記植栽部材１４との間には、一端が前記第１枠体３１の主枠部３１１の溝内に在り他端側が前記第１枠体３１の主枠部３１１の溝の貫通孔３１１１を通って前記背後シート１２の縁部１２５に接触する不織布製の帯状体５が更に設けられており、前記第１枠体３１の主枠部３１１の溝内の水８は前記帯状体５から前記背後シート１２の縁部１２５を伝って前記第１枠体３１の長手方向である水平方向へ拡散されて前記植栽部材１４に供給される植栽構造体であるため、植栽部材１４の花卉栽培土に更に偏りなく確実に給水できる。このため、前記［１］の発明の効果を更に高めることができる。
前記［４］の発明は、前記［３］に於いて、前記帯状体５の他端側は前記背後シート１２の縁部１２５に接触し、さらに、前記背後シート１２と前記植栽部材１４との間に至る植栽構造体であるため、前記［３］の発明の効果を更に高めることができる。
前記［５］の発明は、前記［１］〜［４］の何れかに於いて、前記植栽基盤１は前記背後シート１２と前記植栽部材１４との間に介挿された不織布製の遮断シート１３を更に有する植栽構造体であるため、花卉の根を横方向（遮断シート１３に沿う方向）逸らすことができる。このため、花卉の根が背後シート１２を突き破ることが防止され、背後シート１２の機能を損なうことが防止される。また、花卉の根を植栽部材１４の方向へ誘導するため、植栽部材１４により、花卉の根をしっかりと保持させることができる。
【００１５】
前記［６］の発明は、前記［１］〜［５］の何れかに於いて、前記金網１５の孔部１５５は仮想正方形の中央から小正方形を切り抜くとともに各対角線に沿って切れ目を入れて形成した台形形状の各残部片１５５ａ〜１５５ｄを反植栽部材１４側へ起こして成り、前記金網１５の孔部１５５を通って前記植栽部材１４の孔部１４５に根が嵌入される花卉９は前記残部片１５５ａ〜１５５ｄによって支持される植栽構造体であるため、垂直に設けられた植栽基盤１の正面（前面）側から水平に嵌入される花卉９の根元付近を更に適切に支持でき、更に良好に生育させることができる。また、正面（前面）側から花の最大面積を見ることができる。このため、壁面に、花で、様々な絵柄を自由に表現することができ、意匠性を更に高めることができる。
前記［７］の発明は、前記［１］〜［６］の何れかに於いて、前記金網１５は、線径が０．５φ〜０．７φの範囲、メッシュが１２〜１６の範囲のステンレス製の平織金網である植栽構造体であるため、植栽部材１４内の花卉栽培土１４２が金網１５を抜けて漏れ出ないように保持できる。また、雨風が吹き付けても、雨水に含まれる種々の雑草の種等が植栽部材１４内の花卉栽培土１４２に侵入することを確実に防止できる。このため、雑草が蔓延ることを未然に防止でき、頻繁なメンテナンスも必要が無く、長期間に渡って、一年草のように弱いが綺麗な花卉を楽しむことができる壁面を提供できる。
前記［８］の発明は、前記［１］〜［７］の何れかに於いて、前記植栽部材１４の厚さは１５ｍｍ〜３５ｍｍの範囲である植栽構造体であるため、薄く軽量であり、大面積の壁面であっても容易に構成でき、その壁面に、一年草のように弱いが綺麗な花卉を生育させることができる。このため、花で様々な絵柄を自由に表現することができ、意匠性を更に高めることができる。
前記［９］の発明は、前記［１］〜［８］の何れかに於いて、前記第１枠体３１と前記第２枠体３２を同一構成の枠体と成し、前記支持板６（６０）の鉛直設置状態に於ける上下方向の板面上の各位置に少なくとも３本の枠体３１Ｘ，３２Ｘ（＝３１Ｙ），３２Ｙを水平に配し、上下方向に於いて隣接する２本の枠体のうち上位置の枠体３１Ｘ（３１Ｙ）を前記第１枠体３１と成すとともに下位置の枠体３２Ｘ（３２Ｙ）を前記第２枠体３２と成すことにより、２以上の植栽構造体１００Ｘ，１００Ｙを上下方向に於いて連設して成る植栽構造体であるため、複数の植栽構造体を連設して大面積化することができる。
【００１６】
前記［１０］の発明は、平たい直方体形状の植栽部材１４を浅底の容器１１に収容して成る植栽基盤１と、溝部３１１／３１１・３１２０，３２１／３２１・３２２０を各々が有する第１枠体３１及び第２枠体３２とを有し、鉛直設置及び水平設置が可能な支持板６の板面上に平行に取り付けられる前記第１枠体３１及び第２枠体３２により前記植栽基盤１を挟持する植栽構造体であって、前記第１枠体３１及び第２枠体３２の各々は溝形状の主枠部３１１，３２１と該主枠部３１１，３２１の溝の一側壁３１１５，３２１５から該溝を覆うように立設された溝覆部３１２０，３２２０を有する支持枠部３１２，３２２とを有し、前記支持板６の鉛直設置状態では前記第１枠体３１及び第２枠体３２の各溝部は前記溝形状の主枠部３１１，３２１の溝により構成され、前記支持板６の水平設置状態では前記第１枠体３１及び第２枠体３２の各溝部は前記主枠部３１１，３２１と前記支持枠部３１２，３２２の溝覆部３１２０，３２２０とにより構成され、前記植栽基盤１は前記容器１１の底部１１０と前記植栽部材１４との間に設けられるとともにその縁部１２５が前記容器１１の壁部１１２の縁を越えて前記第２枠体３２の溝部３２１／３２１・３２２０に至る不織布製の背後シート１２を更に有し、前記第２枠体３２の溝部３２１／３２１・３２２０内の水８は該水８に前記縁部１２５の先端側が浸っている前記背後シート１２を伝って前記植栽部材１４に供給される植栽構造体であるため、水平状態に設置された場合でも、前記植栽部材１４に給水できる。
【００１７】
前記［１１］の発明は、平たい直方体形状の植栽部材１４を浅底の容器１１に収容して成る植栽基盤１と、溝部３１１／３１１・３１２０，３２１／３２１・３２２０を各々が有する第１枠体３１及び第２枠体３２とを有し、鉛直設置及び水平設置が可能な支持板６の板面上に平行に取り付けられる前記第１枠体３１及び第２枠体３２により前記植栽基盤１を挟持する植栽構造体であって、前記第１枠体３１及び第２枠体３２の各々は溝形状の主枠部３１１，３２１と該主枠部３１１，３２１の溝の一側壁３１１５，３２１５から該溝を覆うように立設された溝覆部３１２０，３２２０を有する支持枠部３１２，３２２とを有し、前記支持板６の鉛直設置状態では前記第１枠体３１及び第２枠体３２の各溝部は前記溝形状の主枠部３１１，３２１の溝により構成され、前記支持板６の水平設置状態では、前記第１枠体３１及び第２枠体３２の各溝部は前記主枠部３１１，３２１と前記支持枠部３１２，３２２の溝覆部３１２０，３２２０とにより構成され、前記植栽基盤１は、前記容器１１の底部１１０と前記植栽部材１４との間に設けられた不織布製の背後シート１２を更に有し、前記第１枠体３１の主枠部３１１の溝部３１１／３１１・３１２０と前記植栽部材１４との間には、一端が前記第１枠体３１の溝部３１１／３１１・３１２０内に在り、他端側が前記第１枠体３１の主枠部３１１の溝の貫通孔３１１１を通って前記背後シート１２と前記植栽部材１４との間に至る不織布製の帯状体５が更に設けられており、前記第１枠体３１の溝部３１１／３１１・３１２０内の水８は、該水８に一端が浸っている前記帯状体５から前記背後シート１２を伝って前記植栽部材１４に供給される植栽構造体であるため、鉛直設置、水平設置を問わず、前記植栽部材１４に給水できる。
前記［１２］の発明は、前記［１１］に於いて、一方の開口端３５１が前記第１枠体３１の主枠部３１１の溝底３１１０から突出し、他方の開口端３５２で前記第２枠体３２の支持枠部３２２の溝覆部３２２０を貫通するように、前記第１枠体３１の主枠部３１１の溝底３１１０と前記第２枠体の支持枠部３２２の溝覆部３２２０とを連通する排水管３５を更に有し、前記支持板６の鉛直設置状態では前記第１枠体３１の主枠部３１１の溝内で前記一方の開口端３５１の高さを越えて給水された水は前記排水管３５を通って前記第２枠体３２の主枠部３２１の溝に排水される植栽構造体であるため、供給された水を有効に活用することができる。
前記［１３］の発明は、前記［１２］に於いて、前記排水管３５は前記植栽基盤１の背後で且つ前記支持板６の前方に設けられている植栽構造体であるため、排水管３５が植栽基盤１の妨げとなることはない。
前記［１４］の発明は、前記［１２］又は［１３］に於いて、前記貫通孔３１１１は、前記第１枠体３１の主枠部３１１の溝底３１１０から溝内へ突出するように設けられており、その突出長は前記排水管３５の前記一方の開口端３５１が前記溝底３１１０から溝内へ突出する突出長以上である植栽構造体であるため、主枠部３１１の溝から植栽部材１４への給水量が過剰とならないように、常に適量に維持することができる。
【図面の簡単な説明】
【００１８】
【図１】実施の形態の植栽構造体を模式的に示し、（ａ）は溝端板３１５を透視して示す（ｂ）内矢視Ａの断面図、（ｂ）は（ａ）内矢視Ｂの正面図。
【図２】実施の形態の植栽構造体を構成する部材を模式的に示し、（ａ）は植栽基盤１の構成を示す分解斜視図、（ｂ）は植栽構造体の正面図、（ｃ）は（ｂ）内矢視Ｃ部分の断面図。
【図３】図２（ｃ）の要部を拡大して模式的に示す詳細図。押え板３１９は、図２（ｃ）では二点鎖線で示すように装着前であるが、図３では装着後を示している。
【図４】図２の植栽基盤１の構成部材である金網１５を模式的に示し、（ａ）は網目を省略して示す正面図、（ｂ）は（ａ）内矢視Ｂの孔部１５５の拡大図、（ｃ）は（ｂ）内矢視Ｃの断面図（（ｃ）での下半分は端面図）、（ｄ）は孔部１５５の付近を示す正面図、（ｅ）は平織金網の網目を示す正面図、（ｆ）は（ｄ）内矢視Ｆの端面図。
【図５】植栽基盤１の構成部材である植栽部材１４・金網１５の孔部１４５・１５５に、花卉９を、根を先頭として嵌入する様子を模式的に示す斜視図。なお、金網１５の孔部１５５は円形に描かれているが、実際は、図４に示す形状を成す。
【図６】帯状体５と背後シート１２を用いて植栽部材１４に給水する機構の要部と給水の原理を模式的に示し、（ａ）は側面図、（ｂ）は正面図。
【図７】第２枠体３２付近を模式的に示し、（ａ）は鉛直設置状態、（ｂ）は水平設置状態。
【図８】第１枠体３１付近を模式的に示し、（ａ）は鉛直設置状態、（ｂ）は水平設置状態。
【図９】第１枠体３１の主枠部３１１の溝底３１１０から排水管３５の上端及び貫通孔３１１１の上端が突出する高さを説明するとともに、第１枠体の溝部の両端をせき止める溝端板３１５の設置部位を説明する図。
【図１０】植栽構造体を上下２段に連結した実施の形態の要部を模式的に示し、（ａ）は（ｂ）の矢視Ａの断面図、（ｂ）は（ａ）の矢視Ｂの正面図。溝端板の図示は省略する。
【発明を実施するための形態】
【００１９】
以下、図面を参照して、本発明の実施の形態を説明する。
図１は、実施の形態の植栽構造体の一部透視断面及び正面を模式的に示し、図２〜図６は、図１の植栽構造体を構成する部材やその要部、機能を模式的に示す。また、図７〜図１０は、図１の植栽構造体の設置状態の変更態様等を模式的に示す。
【００２０】
実施の形態の植栽構造体は、底浅の容器１１（図２（ａ））によって外形状を規定される植栽基盤１と、図２（ｂ）に示すように植栽基盤１の上縁部に沿って設けられた金属製の第１枠体３１と、下縁部に沿って設けられた金属製の第２枠体３２とを有する。正確には、植栽基盤１は、第１枠体３１と第２枠体３２とによって挟持されている。なお、上縁部・下縁部とは、植栽構造体を壁面に設置する場合の上下に基づく表現である。後述のように、本願発明の植栽構造体は、壁面等に設置する場合の鉛直設置状態と、広場等の水平な場所に設置する場合の水平設置状態とが可能であるが、説明の便宜のため、まず、鉛直設置状態に則した用語を用いて説明し、後に、水平設置状態について説明する。
【００２１】
図１（ａ）に示すように、植栽基盤１の下端側（正確には、植栽基盤１の外形構成部材である容器１１の下端側）は、第２枠体３２の構成部材である主枠部３２１の溝の内に収容されてその前方側（図１（ａ）で右方側）を溝壁に当接・支持されているとともに、後方側（図１（ａ）で左方側）を、第２枠体３２の構成部材である支持枠部３２２の前方側の下垂壁３２２１に当接・支持されている。このように当接・支持されることにより、植栽基盤１の下端側は、第２枠体３２により保持されている。
【００２２】
一方、上端側（正確には、植栽基盤１の外形構成部材である容器１１の上端側）は、第１枠体３１の構成部材である挟持枠部３１３の前方側（図１（ａ）で右方側）の下垂壁３１３１の下端に当接し、その状態で、植栽基盤１の上端部には、金属製の押え板３１９が図３に示すように被せられる。この押え板３１９が、挟持枠部３１３の下垂壁３１３１に固定されることにより、植栽基盤１の上端側は、第１枠体３１により保持される。なお、容器１１の上端側が当接する、前記下垂壁３１３１との間には、図３に示すように、不織布製の背後シート１２の縁部１２５と、不織布製の帯状体５とが、挟み込まれている。
【００２３】
このように、植栽基盤１の上端側を第１枠体３１で保持し、且つ、下端側を第２枠体３２で保持することにより、両枠体３１，３２による植栽基盤１の挟持が実現される。
なお、第１枠体３１及び第２枠体３２は、壁面等に鉛直に設置される支持板６の上下方向の位置に、水平に、言い換えれば相互に平行に、且つ、各々の構成部材である主枠部３１１，３２１の溝が上開放となるようにして、支持板６の板面上に固着される。
【００２４】
植栽基盤１は、図２（ａ）に図解するように、比較的厚手で２層の不織布製の背後シート１２上に、順に、比較的薄手で破れ難い不織布製の遮断シート１３、植栽部材１４、金網１５を積層して成る部材を、底浅の容器（深さ：２５〜３０ｍｍ程度）１１内に、嵌め込むようにして収容することで、構成される部材である。ここで、容器１１の底部１１０は、凹凸や、微細な貫通孔１１０ａ（図３）を有する。
【００２５】
背後シート１２の一方の縁部１２５は、容器１１の上壁部（一壁部）１１１に沿って容器１１の外部へ出され、折り返されて、図３に示すように、上壁部１１１の外壁面に沿うように置かれる。他方の縁部１２５も、同様に、容器１１の下壁部（他壁部）１１２に沿って容器１１の外部へ出され、折り返されて、図７に示すように、上壁部１１２の外壁面に沿うように置かれる。
【００２６】
植栽部材１４は、３次元網目構造を成す樹脂製のランダムループ体１４１の間隙に、花卉の栽培に適した花卉栽培土１４２を充填して成る部材である。
ここで、ランダムループ体１４１とは、樹脂製で曲りくねった細い線材を３次元的に絡ませ、相互に近接している線材どうしを部分的に適宜に溶着等して一体化した、３次元網目構造を成す部材である。この樹脂製の線材は、手で折り曲げ可能であり、且つ、折り曲げられた場合にはその形状が保持されるが、折り曲げに至らない程度の力が加えられた場合は、該力が取り去られると元の形状に復帰する程度の弾力を有する径・材質の素材である。このランダムループ体１４１の線材間の間隙に、一年草等の花卉の栽培に適した花卉栽培土１４２を充填して成る部材を、本願明細書では、植栽部材１４と称する。なお、花卉栽培土１４２は、本実施の形態では、土というよりも砂に近い粒径であり、比較的水はけの良い土質である。
【００２７】
植栽部材１４には、図２（ａ）（ｂ）に示すように、孔部１４５が、横方向（支持板６の鉛直設置状態での水平方向）に等間隔で、及び、縦方向（支持板６の鉛直設置状態での鉛直方向）にも等間隔で、格子状に設けられている。なお、横方向の間隔と、縦方向の間隔とは、同じでも良く、異なっていても良い。
これらの各孔部１４５には、図５に示すようにして、一年草等の花卉９が、その根の部分を先頭として挿入される。孔部１４５に挿入された花卉９は、その根が、植栽部材１４のランダムループ体１４１の間隙に入り込み、該ランダムループ体１４１によって確実に保持される。また、後述の如く植栽部材１４への給水が行われることにより、根腐れや枯れが無く、良好に生育する。
【００２８】
植栽部材１４の露出側表面を覆う金網１５は、ステンレス製の平織金網である。本実施の形態では、その線径は、０．５〜０．７φの範囲、メッシュは、１２〜１６の範囲である。この範囲内であれば、植栽基盤１を図１の如く構成し、支持板６を壁面等に取り付けて鉛直状態と成し、雨風が吹き付ける外部環境に晒した場合でも、花卉栽培土１４２が網目を通して流出するという不具合を防止できる。また、雨風に混じって雑草の種が植栽部材１４に侵入して雑草が蔓延るという不具合も防止できる。
なお、平織金網とは、ステンレス線材１５０を、図３（ｄ）（ｅ）（ｆ）に示す如く交互に織って成る金網である。
【００２９】
金網１５には、該金網１５で植栽部材１４の露出側表面（図１（ａ）で右側，（ｂ）で手前側の表面）を覆ったときに、当該植栽部材１４の各孔部１４５，１４５，，を覆うことになるべき各位置（植栽部材１４の各孔部１４５に対応する各位置）に、それぞれ孔部１５５，１５５，，が設けられている（図２（ａ）参照）。
【００３０】
これらの孔部１５５は、図４（ａ）（ｂ）（ｄ）に点線で示す仮想正方形の中央部分から、当該仮想正方形と相似形の小正方形を切り抜くとともに、当該仮想正方形の２本の対角線に沿って切れ目を入れることにより台形形状の４片の残部片１５５ａ〜１５５ｄを形成し、各残部片１５５ａ〜１５５ｄを、図４（ｃ）の如く、植栽部材１４とは反対の側へ起こして形成したものである。このように起こされた各残部片１５５ａ〜１５５ｄの中央付近（図４（ｃ）の１５５ｃ，１５５ｄでの中央付近）の傾斜角は、金網１５の面に対して４０〜７０°程度である。
【００３１】
孔部１５５の開口の周囲に前記の残部片１５５ａ〜１５５ｄが設けられているため、図５のように挿入される花卉９は、その根や、根付近の茎を、残部片１５５ａ〜１５５ｄによって良好に支持される。このため、花卉９の茎に過大な力が加わることが防止され、長期間に渡って、良好に生育させることができる。
なお、水平に挿入される花卉９の茎に加わる過大な力としては重力が挙げられるが、重力に止まらず、強風等で花卉９の茎に過大な力が加わる場合もあるため、孔部１５５の周囲に４片の残部片１５５ａ〜１５５ｄを設けることが好ましい。
また、図５では、孔部１５５が円形に描かれているが、実際は、前述のように、図４の形状をしている。
【００３２】
次に、鉛直設置状態に於ける給水を説明する。
第１枠体３１の主枠部３１１の溝内には、給水設備（不図示）により、適宜に水が供給されて、図３に示すように、貯留（水８，参照）されている。
この貯留された水８は、主枠部３１１の溝底３１１０に設けられた貫通孔３１１１を通って、植栽基盤１の植栽部材１４の花卉栽培土１４２に供給される。
【００３３】
具体的には、主枠部３１１の溝内の水８は、厚手の不織布製の帯状体５を伝って、植栽部材１４の花卉栽培土１４２に供給される。
即ち、図３に示すように、主枠部３１１の溝内の水８には、厚手の不織布製の帯状体５の一端が浸されており、その他端側は、溝底３１１０の貫通孔３１１１を通り、背後シート１２の縁部１２５に接触しつつ、該縁部１２５とともに容器１１の上壁部１１１に沿って案内され、反転して該容器１１の内部に上壁部１１１に沿って入り込み、背後シート１２の縁部１２５と植栽部材１４の上端との間に挟まれ、さらに、容器１１の底部１１０付近で背後シート１２と遮断シート１３との間に挿入されるように設けられている。
【００３４】
厚手の不織布製の帯状体５が上述の如く設けられているため、主枠部３１１の溝内の水８は、該帯状体５を伝って、少しずつ背後シート１２の縁部１２５に浸透する。また、背後シート１２の縁部１２５に浸透した水は、図６（ｂ）に太矢印で示すように、縁部１２５内を、水平方向（図３での紙面垂直方向，第１枠体３１の長手方向）に拡散しつつ、重力で、下方の植栽部材１４内へ徐々に浸透する（下向き太矢印参照）。
一方、背後シート１２の縁部１２５にて浸透・拡散しつつも、植栽部材１４の上端部付近で且つ容器１１の底部１１０付近に至った水は、背後シート１２と帯状体５と遮断シート１３とにより徐々に下方へ浸透して、植栽部材１４の背後側（容器１１の底部１１０に近い側）を湿らせつつ、該背後側から植栽部材１４内へ徐々に浸透する。
【００３５】
このように、帯状体５によって小量ずつ吸い上げられる水が、植栽部材１４へ恒常的に供給されるとともに、該植栽部材１４の背後側（容器１１の底部１１０の側）を湿らせるため、植栽部材１４の花卉栽培土１４２は過度に乾くことがなく、過不足のない適量の水分量が維持される。その結果、花卉９に適した良好な生育環境が実現され、過剰な給水による根腐れも、また、給水不足による枯れも、確実に防止される。
【００３６】
さらに、本実施の形態の植栽構造体では、図９に示すように、一端（上端）が第１枠体３１の主枠部３１１の溝底３１１０を突き抜けて該溝内に開口し、他端（下端）が、植栽基盤１の背後側を通り、第２枠体３２の支持枠部３２２を突き抜けて、主枠部３２１の溝上に開口する排水管３５が設けられている。
【００３７】
この排水管３５が第１枠体３１の主枠部３１１の溝底３１１０を突き抜ける高さは、図９に差「Ｈ」として示すように、本実施の形態では、貫通孔３１１１の上端が溝底３１１０を突き抜ける高さよりも、若干低く設定されている。
このため、排水管３５の開口の高さを越えるような給水が行われると、過剰となった水は、排水管３５を通って、第２枠体３２の主枠部３２１の溝へ排出される。その結果、第１枠体３１の主枠部３１１の溝内に貯留される水８の水面は、常に、貫通孔３１１１の開口の高さよりも低く制御され、それにより、主枠部３１１の溝内から植栽部材１４への給水は、帯状体５を伝わる水のみで行われることとなる。即ち、植栽部材１４の孔部１４５に植えられている花卉９への過剰な給水は、確実に防止される。
【００３８】
本実施の形態では、排水管３５の上端が第１枠体３１の主枠部３１１の溝底３１１０を突き抜ける高さは、貫通孔３１１１の上端が溝底３１１０を突き抜ける高さよりも若干低く設定されているが、貫通孔３１１１の上端が溝底３１１０を突き抜ける高さと同じか、又は、低ければよい。
【００３９】
次に、背後シート１２と遮断シート１３について説明する。
上記より分かるように、不織布製の背後シート１２は、帯状体５から伝わって来る水を十分に吸水して、縁部１２５では水平方向に拡散させて植栽部材１４へ供給し、植栽部材１４の背後側（容器１１の底部１１０の側）では該背後側を湿らせるとともに少しずつ植栽部材１４へ給水するためのものである。
【００４０】
また、万一、第１枠体３１の主枠部３１１の溝内への給水設備（不図示）に不具合が生ずる等して、該第１枠体３１の溝内の水が不足した場合には、排水管３５を通って第２枠体３２の主枠部３２１の溝内に貯留されている水を吸い上げて、植栽部材１４の背後側を湿らせて、少しずつ植栽部材１４へ供給するためのものでもある。
【００４１】
このため、背後シート１２としては、本実施の形態では、特性が異なる不織布を重ねて２層構造と成した、厚手の不織布を採用している。
しかしながら、このような十分な吸水機能を有する不織布は、一般に、強度が弱く、植栽部材１４の孔部１４５に植えられた花卉９の根の生育によって、容易に突き破られる畏れのある素材である。
【００４２】
このため、本実施の形態では、背後シート１２と植栽部材１４との間に遮断シート１３を設けて、植栽部材１４の孔部１４５に植えられた花卉９の根を止め、その生育方向を略９０°曲げて、孔部１４５の周囲の植栽部材１４の方向へ向かわせている。
かかる機能を奏し得る遮断シート１３としては、花卉９の根の生育により突き破られることがなく、その生育方向を曲げるだけの強度を有する素材が求められる。
また、その一方で、遮断シート１３は、背後シート１２が植栽部材１４の背後側（容器１１の底部１１０に近い側）を湿らせる機能や、背後シート１２が植栽部材１４へ吸水する機能を妨げるものであってはならない。
このため、本実施の形態では、遮断シート１３として、比較的薄手で且つ強度が高く且つ水の浸透を妨げない不織布（背後シート１２とは異なる素材）を採用している。
【００４３】
このように選択・採用された遮断シート１３により、花卉９の根は生育方向を逸らされて、孔部１４５の周囲の植栽部材１４へ向かい、そのランダムループ体１４１の三次元網目構造の間隙に入り込んで根付き、該ランダムループ体１４１の三次元網目構造によってしっかりと支持される。
このため、強風等に曝された場合でも、花卉９を良好に生育させることができる。
【００４４】
上記では、壁面等に植栽構造体を設置する場合（鉛直設置状態の場合）に即して本願発明を説明したが、先述のように、本願発明の植栽構造体は、壁面ばかりでなく、広場等の水平な場所に設置することも可能である。
以下、本願の植栽構造体では、鉛直設置状態と水平設置状態の両状態を、容易に切り換え得ること等を、図７〜図８を参照して説明する。
【００４５】
図７（ａ）は、鉛直設置の場合の第２枠体３２側から上方への給水原理を示す。
即ち、上方の植栽部材１４への給水が滞る等して乾いた場合には、第２枠体３２の主枠部３２１の溝内の水８が、該水８に浸されている背後シート１２の縁部１２５で吸い上げられて、植栽部材１４の背後の背後シート１２から、植栽部材１４へ給水される。
【００４６】
図７（ｂ）は、水平設置の場合の第２枠体３２側から図内左方への給水原理を示す。
即ち、本実施の形態の植栽構造体が広場等に水平に設置された場合には、水平設置状態に於ける第２枠体３２の溝部（主枠部３２１の溝の一部と、支持枠部３２２の溝覆部３２２０とによって構成される溝）内の水８が、該水８に浸されている背後シート１２の縁部１２５（背後シート１２から延設された該背後シート１２の縁部１２５）で吸い上げられて、該縁部１２５を伝いつつ拡散し、植栽部材１４の背後（図７（ｂ）での下方）の背後シート１２に至り、該背後シート１２から植栽部材１４へ給水される。
【００４７】
図８（ａ）は、鉛直設置の場合の第１枠体３１側から下方への給水原理を示す。
この原理は、先述した「帯状体５を用いる吸水原理」と同じであるため、説明は簡略化する。第１枠体３１の主枠部３１１の溝内の水８は、該水８に一端（上端）が浸されている帯状体５から、背後シート１２の縁部１２５を伝って水平方向へ拡散される等して、植栽部材１４へ給水される。
【００４８】
図８（ｂ）は、水平設置の場合の第１枠体３１側から図内右方への給水原理を示す。
即ち、本実施の形態の植栽構造体が広場等に水平に設置された場合には、水平設置状態に於ける第１枠体３１の溝部（主枠部３１１の溝の一部と、支持枠部３１２の溝覆部３１２０とによって構成される溝）内の水８が、該水８に一端（左端）が浸されている帯状体５から背後シート１２の縁部１２５を伝って水平方向へ拡散されるとともに、さらに、植栽部材１４の背後（図８（ｂ）での下方）の背後シート１２に至り、該背後シート１２から、植栽部材１４へ給水される。
【００４９】
次に、複数の植栽構造体を上下方向で連設する場合を説明する。
上述した実施の形態の植栽構造体は、図１０に示すように、２以上の植栽構造体１００Ｘ，１００Ｙを、鉛直設置状態では、上下方向に於いて連設可能である。また、過剰に供給された水は、各植栽構造体１００Ｘ，１００Ｙの排水管３５，３５，，を用いて、外部へ排出可能である。
なお、水平設置状態でも、同様に連設可能である。
【００５０】
図１０に示す植栽構造体は、第１枠体３１と第２枠体３２を同一構成の枠体と成し、支持板６０（複数の植栽構造体を連設する場合の支持板を「６０」で示す）の上下方向の位置に３本以上の枠体３１Ｘ，３２Ｘ（  ＝３１Ｙ），３２Ｙを水平に配する（２段連設の場合）とともに、隣接する２本の枠体のうち、上方位置の枠体３１Ｘ（３１Ｙ）を前述の第１枠体３１と成し、下方位置の枠体３２Ｘ（３２Ｙ）を前述の第２枠体３２と成したものである。
【００５１】
図１０では、鉛直設置の場合の上下連設を示しているが、左右連設も可能である。
左右連設の場合は、第１枠体３１及び第２枠体３２の各々の溝部（鉛直設置の場合は主枠部３１１，３２１の溝，水平設置の場合は主枠部３１１，３２１の溝の一部と支持枠部３１２，３２２の各溝覆部３１２０，３２２０とで構成される溝）の両端を塞いでいる溝端板３１５（図９参照）を取り去り、２の植栽構造体を左右方向で接続すればよい。
なお、何れの場合も、多段連設は当然に可能である。このため、植栽構造体をパネル化して、適宜の面積での花卉の植栽を、壁面でも、また、広場等の水平面でも、実現することができる。
【００５２】
本実施の形態の鉛直設置状態によると、原因は未究明であるが、特定の花卉に関し、通常の地面で当該の花卉を栽培する場合より、大輪の花を咲かせることができた。
このため、植栽構造体の大部分を花で覆うことができ、例えば、花で所望のデザインを実現する等の用途に用いることができる。
【００５３】
例えば、アジュガ、アスチルベ、アリッサム、ガザニア、キンギョソウ、ゼラニウム、デージー（ヒナギク）、バーベナ、ベゴニア、ペチュニア、マーガレット、マツバギク、ロベリア、アメリカンブルー、サルビア、ジニア（百日草）、センチニコウ、トレニア、ニチニチソウ、ヘメロカリス、ペンタス、マツバボタン、マリーゴールド、ウインターコスモス、ガーデンシクラメン、カランコエ、コスモス、パンジー・ビオラ、ユリオプスデージー、クリサンセマム、ハボタン、プリムラに関し、２シーズンに渡り、日当たり・温度を略同一とした環境下で、地面の畑と、鉛直設置状態の本実施の形態の植栽構造体を用いて生育させた場合を比較すると、概ね、花の平面視での径（差し渡し）が、地面の畑で生育させた場合の１．２〜１．４倍となっていた。
【００５４】
なお、前述の実施の形態では、第１枠体３１は主枠部３１１、支持枠部３１２、挟持枠部３１３という、３つの部材を一体化することで構成されているが、これらを、押出成形により単一の部材として構成してよいことは、もちろんである。
同様に、第２枠体３２は主枠部３２１、支持枠部３２２、挟持枠部３２３という、３つの部材を一体化することで構成されているが、これらを、押出成形により単一の部材として構成してよいことも、もちろんである。
【符号の説明】
【００５５】
１  植栽基盤
１００，１００Ｘ，１００Ｙ  植栽構造体
１１  容器
１１０  容器の底部
１１０ａ  容器底部の貫通細孔
１１１  容器の一壁部（鉛直設置状態での上側の壁部）
１１２  容器の他壁部（鉛直設置状態での下側の壁部）
１２  背後シート（厚手で２層の不織布）
１２５  背後シートの縁部
１３  遮断シート（薄い不織布）
１４  植栽部材
１４１  ランダムループ体（樹脂製線材が絡まった３次元網目構造体）
１４２  花卉栽培土
１４５  植栽部材の孔部
１５  金網
１５０  金網線
１５５  金網の孔部
１５５ａ〜１５５ｄ  残部片
３１，３１Ｘ，３１Ｙ  第１枠体
３１１  主枠部
３１１０  溝底
３１１１  貫通孔
３１１５  主枠部の一側壁（水平設置状態での溝底）
３１２  支持枠部
３１２０  溝覆部
３１３  挟持枠部
３１３１  下垂壁
３１５  溝端板
３１９  押え板
３２，３２Ｘ，３２Ｙ  第２枠体
３２１  主枠部
３２１０  溝底
３２１１  貫通孔
３２１５  一側壁（水平設置状態での溝底）
３２２  支持枠部
３２２０  溝覆部
３２２１  下垂壁
３２３  挟持枠部
３２９  押え板
３５  排水管
５  帯状体（厚い不織布）
６  支持板
６０  支持板（上下連設時の支持板）
８  水
９  花卉
【図１】
2020198820.tif 000003
【図２】
2020198820.tif 000004
【図３】
2020198820.tif 000005
【図４】
2020198820.tif 000006
【図５】
2020198820.tif 000007
【図６】
2020198820.tif 000008
【図７】
2020198820.tif 000009
【図８】
2020198820.tif 000010
【図９】
2020198820.tif 000011
【図１０】
2020198820.tif 000012